(57)【要約】【課題】本実施形態は、互いに近接するとともに並行する配管同士を固定保持する場合と、互いに近接するとともに直交する配管同士を固定保持する場合の、いずれにも対応できて、設計自由度と使用範囲の拡大化を図った配管固定具を提供する。【解決手段】直交する第１の貫通孔と第２の貫通孔が設けられた第１の配管保持具と、直交する第３の貫通孔と第４の貫通孔が設けられた第２の配管保持具と、第１の配管保持具および第２の配管保持具それぞれの一方の端面に設けられ、第１の配管保持具と第２の配管保持具とを互いに連結する連結部と、を備える。第１の配管保持具における第１の貫通孔または第２の貫通孔のいずれか一方に配管を貫通保持し、前記第２の配管保持具における第３の貫通孔または第４の貫通孔のいずれか一方に配管を貫通保持する。【選択図】    図３
2014224595.tif 000002
【特許請求の範囲】
【請求項１】
直交する第１の貫通孔と第２の貫通孔が設けられた第１の配管保持具と、
直交する第３の貫通孔と第４の貫通孔が設けられた第２の配管保持具と、
前記第１の配管保持具および前記第２の配管保持具それぞれの一方の端面に設けられ、前記第１の配管保持具と前記第２の配管保持具とを互いに連結する連結部と、を備え、
前記第１の配管保持具における第１の貫通孔または第２の貫通孔のいずれか一方に配管を貫通保持し、前記第２の配管保持具における第３の貫通孔または第４の貫通孔のいずれか一方に配管を貫通保持する
ことを特徴とする配管固定具。
【請求項２】
前記第１の配管保持具と前記第２の配管保持具における前記連結部は、互いに係合凸部および係合凹部からなり、
前記第１の配管保持具の係合凸部に前記第２の配管保持具の係合凹部が係合され、
前記第１の配管保持具の係合凹部に前記第２の配管保持具の係合凸部が係合される
ことを特徴とする請求項１記載の配管固定具。
【請求項３】
前記第１の配管保持具は、前記連結部が設けられる端面とは反対側の端面から前記第１の貫通孔と前記第２の貫通孔のそれぞれに亘ってスリットが十字状に設けられ、
前記第２の配管保持具は、前記連結部が設けられる端面とは反対側の端面から前記第３の貫通孔と前記のそれぞれに亘ってスリットが十字状に設けられる
ことを特徴とする請求項２記載の配管固定具。
【請求項４】
前記第１の配管保持具および前記第２の配管保持具に、結束バンドを締結するためのバンド用凹部が設けられる
ことを特徴とする請求項１ないし請求項３のいずれかに記載の配管固定具。
【発明の詳細な説明】
【技術分野】
【０００１】
本発明の実施形態は、互いに近接するとともに、並行する配管同士、もしくは直交する配管同士を固定し保持する配管固定具に関する。
【背景技術】
【０００２】
たとえば空気調和機を構成する室外ユニットでは、筐体内の極く狭いスペースに冷媒配管が複雑に入り組まれ、互いに接近している。室外ユニットの工場出荷時には振動を受けて冷媒配管相互が揺れ、冷媒配管相互もしくは冷媒配管と圧縮機などの冷凍サイクル構成部品が接触し合う。ついには、冷媒配管の接続部位が破断に至る虞れがある。
【０００３】
そこで、配管が貫通する配管貫通孔を有する第１の配管保持部材と、前記配管貫通孔と同径もしくは異径の配管が貫通する配管貫通孔を有する第２の配管保持部材と、これら第１、第２の配管保持部材を互いに結束する結束部材とからなる、配管固定具が提供されるに至った。
【先行技術文献】
【特許文献】
【０００４】
【特許文献１】特開２００５−９８６２４号公報
【発明の概要】
【発明が解決しようとする課題】
【０００５】
前記配管固定具は、互いに近接するとともに並行する２本の冷媒配管相互を、互いに接触することなく固定保持するのに最適である。換言すれば、冷媒配管が近接する部分においては前記配管固定具を使用することを想定して、互いの冷媒配管が並行するよう設計しなければならず、設計自由度が限定されるとともに使用範囲が制限されてしまう。
【０００６】
このような事情から、互いに近接するとともに並行する配管同士を固定保持する場合と、互いに近接するとともに直交する配管同士を固定保持する場合の、いずれにも対応できて、設計自由度と使用範囲の拡大化を図った配管固定具が求められている。
【課題を解決するための手段】
【０００７】
本実施形態の配管固定具によれば、直交する第１の貫通孔と第２の貫通孔が設けられた第１の配管保持具と、直交する第３の貫通孔と第４の貫通孔が設けられた第２の配管保持具と、第１の配管保持具および第２の配管保持具のそれぞれ一方の端面に設けられ、第１の配管保持具と第２の配管保持具とを互いに連結する連結部と、を備える。  
第１の配管保持具における第１の貫通孔または第２の貫通孔のいずれか一方に配管を貫通保持し、前記第２の配管保持具における第３の貫通孔または第４の貫通孔のいずれか一方に配管を貫通保持する。
【図面の簡単な説明】
【０００８】
【図１】本実施の形態に係る、配管固定具を分解した斜視図。
【図２】同実施形態に係る、配管固定具を分解した平面図。
【図３】同実施形態に係る、配管固定具の互いに異なる配管固定状態を示す斜視図。
【発明を実施するための形態】
【０００９】
以下、本実施形態を図面にもとづいて説明する。  
図１は、配管固定具Ｓを分解した斜視図であり、図２は、該配管固定具Ｓを分解した平面図である。
【００１０】
この配管固定具Ｓは、第１の配管保持具１Ａと、第２の配管保持具１Ｂとからなり、いずれの配管保持具１Ａ，１Ｂも、たとえば防振ゴム材など、ある程度の柔軟性を有する弾性材から構成される。第１の配管保持具１Ａと第２の配管保持具１Ｂとを、後述するように互いに連結することにより、配管固定具Ｓとして完成する。
【００１１】
第１の配管保持具１Ａは、第２の配管保持具１Ｂと対向する端面と、この端面とは反対側の端面との間の略中央部位において、図の上面から下面に亘って縦方向に第１の貫通孔３が設けられるとともに、同部位に第１の貫通孔３と９０度直交し、横方向に第１の貫通孔３と同一直径の第２の貫通孔４が設けられる。
【００１２】
第２の配管保持具１Ｂは、第１の配管保持具１Ａと対向する端面と、この端面とは反対側の端面との間の略中央部位において、図の上面から下面に亘って縦方向に第３の貫通孔５が設けられるとともに、同部位に第３の貫通孔５と９０度直交して、横方向に第３の貫通孔５と同一直径の第４の貫通孔６が設けられる。
【００１３】
なお、第１の貫通孔３ないし第４の貫通孔６のいずれにおいても、後述するようにして固定保持する配管の直径よりも小である直径に形成されていて、少なくとも配管の直径よりも大である直径には形成しないことが必要である。
【００１４】
第１の配管保持具１Ａにおける一方の端面である第２の配管保持具１Ｂとの対向端面と、第２の配管保持具１Ｂにおける一方の端面である第１の配管保持具１Ａとの対向端面には、第１の配管保持具１Ａと第２の配管保持具１Ｂとを互いに連結する連結部８が設けられる。
【００１５】
第１の配管保持具１Ａにおける連結部８は、第１の貫通孔３と並行し、縦方向に突設される係合凸部９と、この係合凸部９と９０度直交して、すなわち第２の貫通孔４と並行して横方向に設けられる係合凹部１０とからなる。特に図示していないが、係合凸部９は上下両側に一対設けられ、係合凹部１０は係合凸部９に挟まれるように左右方向に亘って設けられている。
【００１６】
第２の配管保持具１Ｂにおける連結部８は、第３の貫通孔５と並行し、縦方向に突設される係合凹部１１と、この係合凹部１１と９０度直交して、すなわち第４の貫通孔６と並行して横方向に設けられる係合凸部１２とからなる。係合凹部１１は図の上面から下面に亘って設けられ、係合凸部１２は係合凹部１１の左右両側に一対設けられている。  
係合凸部９および係合凸部１２の両角部９ａ、１２ａは、面取りされたＲ形状に成形されており、それぞれが対応する係合凹部１１、１０に係合し易くなる。
【００１７】
また、第１の配管保持具１Ａにおいて、連結部８が設けられる端面とは反対側の端面から第１の貫通孔３に亘って縦方向に、第１の貫通孔３の直径よりも小さい幅寸法の第１のスリット１４が設けられ、同端面から第２の貫通孔４に亘って横方向に、第１のスリット１４と同一幅寸法の第２のスリット１５が設けられる。
【００１８】
したがって、第１の配管保持具１Ａを連結部８が設けられる端面とは反対側の端面側から見たとき、第１のスリット１４と第２のスリット１５は、十字状に交差して設けられることになる。
【００１９】
一方、第２の配管保持具１Ｂにおいて、連結部８が設けられる端面とは反対側の端面から第３の貫通孔５に亘って縦方向に、第３の貫通孔５の直径よりも小さい幅寸法の第３のスリット１６が設けられ、同端面から第４の貫通孔６に亘って横方向に、第３のスリット１６と同一幅寸法の第４のスリット１７が設けられる。
【００２０】
したがって、第２の配管保持具１Ｂを連結部８が設けられる端面とは反対側の端面側から見たとき、第３のスリット１６と第４のスリット１７は、十字状に交差して設けられることになる。
【００２１】
なお、第１の配管保持具１Ａと第２の配管保持具１Ｂにおける第１のスリット１４ないし第４のスリット１７それぞれの開放端に沿う角部１４ａ〜１７ａは、全て面取りされている。このことで、後述するように各スリット１４〜１７を介して第１ないし第４の貫通孔３〜６に配管を挿通し易くなる。
【００２２】
さらに、第１の配管保持具１Ａにおける連結部８が設けられる端面とは反対側の端面で、第１のスリット１４と第２のスリット１５が交差する部位から、第１の貫通孔３と第２の貫通孔４が交差する部位に亘って、第１のガイド用孔１８が設けられる。
【００２３】
第２の配管保持具１Ｂにおける連結部８が設けられる端面とは反対側の端面で、第３のスリット１６と第４のスリット１７が交差する部位から、第３の貫通孔５と第４の貫通孔６が交差する部位に亘って、第２のガイド用孔１９（図２のみ図示）が設けられる。
【００２４】
これら第１、第２のガイド用孔１８，１９の直径は、少なくとも第１ないし第４のスリット１４〜１７の幅寸法よりも大で、第１ないし第４の貫通孔３〜６の直径よりも小に形成される。
【００２５】
一方、第１の配管保持具１Ａにおいては、第１、第２のスリット１４，１５および第１のガイド用孔１８が開口する端面から連結部８が設けられる端面に亘って、斜めに交差してバンド用凹部２０が設けられる。すなわち、バンド用凹部２０は、第１の貫通孔３および第２の貫通孔４の開口端面相互間と、第１のスリット１４および第２のスリット１５との相互間に亘って設けられることになる。
【００２６】
第２の配管保持具１Ｂにおいては、第３、第４のスリット１６，１７および第２のガイド用孔１９が開口する端面から連結部８が設けられる端面からに亘って、斜めに交差してバンド用凹部２１が設けられる。すなわち、バンド用凹部２１は、第３の貫通孔５および６の開口端面相互間と、第３のスリット１６および第４のスリット１７の相互間に亘って設けられることになる。
【００２７】
このようにして配管固定具Ｓが構成されるが、第１の配管保持具１Ａと第２の配管保持具１Ｂは同一のものであり、両配管保持具はともに、図の上下方向と左右方向が同一寸法で形成されているので、第１の配管保持具１Ａにおいては第１の貫通孔３を第２の貫通孔４と呼んでもよく、第２の貫通孔４を第１の貫通孔３と呼んでもよい。第２の配管保持具１Ｂにおいても、第３の貫通孔５を第４の貫通孔６と呼んでもよく、第４の貫通孔６を第３の貫通孔５と呼んでもよい。
【００２８】
さらに、第１の配管保持具１Ａと第２の配管保持具１Ｂともに、連結部８として係合凸部９，１２と係合凹部１０，１１を備えるとともに、第１、第２のスリット１４，１５もしくは第３、第４スリット１６，１７およびバンド用凹部２０，２１を互いに同位置に備えるところから、図の第１の配管保持具１Ａを第２の配管保持具１Ｂと呼んでもよく、第２の配管保持具１Ｂを第１の配管保持具１Ａと呼んでもよい。  
しかしながら、これらを全部含めた説明では煩雑になるので、当初の説明通りで進めることとする。
【００２９】
実際の使用にあたっては、配管を固定保持する前に、図１および図２に示す、第１の配管保持具１Ａと第２の配管保持具１Ｂの連結部８を互いに連結固定して、配管固定具Ｓを完成する。
【００３０】
すなわち、第１の配管保持具１Ａの係合凸部９を第２の配管保持具１Ｂの係合凹部１１に係合するとともに、第１の配管保持具１Ａの係合凹部１０を第２の配管保持具１Ｂの係合凸部１２に係合する。
【００３１】
このとき、互いの配管保持具１Ａ，１Ｂ自体の弾性を利用して、強制的にそれぞれの配管保持具１Ａ，１Ｂの係合凸部９，１２を収縮するとともに係合凹部１０、１１を拡開して係合し、係合後は強制力を除去することで、互いに確実に連結固定できる。
【００３２】
このように、第１の配管保持具１Ａの係合凸部９と第２の配管保持具１Ｂの係合凹部１１が係合するとともに、第１の配管保持具１Ａの係合凹部１０と第２の配管保持具１Ｂの係合凸部１２が係合するため、連結固定された配管固定具Ｓは、連結部８において上下方向または左右方向に大きくずれて連結が解けることがない。
【００３３】
第１の配管保持具１Ａと第２の配管保持具１Ｂの連結固定が終了し、配管固定具Ｓを完成させたら、第１、第２の配管保持具１Ａ，１Ｂに配管を保持する。  
図３（Ａ）ないし（Ｄ）は、互いに異なる状態で配管を固定保持した斜視図である。
【００３４】
個々の図の説明をなすと、図３（Ａ）は、第１の配管保持具１Ａにおける第１の貫通孔３に配管Ｐａを固定保持し、第２の配管保持具１Ｂにおける第３の貫通孔５に配管Ｐｂを固定保持した状態の斜視図であり、２本の配管Ｐａ，Ｐｂが互いに近接するとともに、縦方向に並行である場合に適応できる。
【００３５】
具体的には、縦方向にある１本の配管Ｐａと第１の配管保持具１Ａの反連結部側端面とを当てて、縦方向に設けられる第１のスリット１４に強制的に押し当てる。第１のガイド用孔１８を設けたことから第１のスリットは比較的容易に左右に拡開して配管Ｐａの侵入を許容する。ついには、配管Ｐａは第１のスリット１４を介して第１の貫通孔３に至り、ここに固定保持される。
【００３６】
つぎに、縦方向にある他方の配管Ｐｂを第２の配管保持具１Ｂの反連結部側端面に当てて、縦方向に設けられる第３のスリット１６に強制的に押し当てる。第２のガイド用孔１９（図示しない）を設けたことから、第３のスリット１６は比較的容易に左右に拡開して配管Ｐｂの侵入を許容する。ついには、配管Ｐｂは第３のスリット１６を介して第３の貫通孔５に至り、ここに固定保持される。
【００３７】
最後に、第１の配管保持具１Ａのバンド用凹部２０から第２の配管保持具１Ｂのバンド用凹部２１に亘って、結束バンドＤを締結し、各貫通孔３，５に挿入した配管Ｐａ，Ｐｂ相互を強固に固定保持しなければならない。
【００３８】
図のように、第１の配管保持具１Ａにおけるバンド用凹部２０から第２の配管保持具１Ｂにおける対向するバンド用凹部２１に亘って結束バンドＤを締結してもよく、図とは反対側のバンド用凹部２０を用いて結束バンドＤを締結してもよく、両方のバンド用凹部２０，２１に亘って、いわゆる“たすきがけ”にて結束バンドＤを締結してもよい。
【００３９】
以上で、配管固定具Ｓは、縦方向に並行し、互いに接近する位置にある２本の配管Ｐａ，Ｐｂを比較的簡単に固定保持できる。したがって、これら配管Ｐａ，Ｐｂを備えた機器の、たとえば輸送中に振動が生じても、配管Ｐａ，Ｐｂ相互が接触することを防止して、接続部位が破断することもない。
【００４０】
図３（Ｂ）は、互いに近接するとともに、縦方向と横方向とに直交する２本の配管Ｐａ，Ｐｄを固定保持する場合に用いられる。先に述べたようにして、縦方向にある一方の配管Ｐａを第１の配管保持具１Ａにおける第１のスリット１４を介して第１の貫通孔３に固定保持し、横方向にある他方の配管Ｐｄを第２の配管保持具１Ｂにおける第４のスリット１７を介して第３の貫通孔６に固定保持する。  
最後に、結束バンドＤを用いて第１の配管保持具１Ａと第２の配管保持具１Ｂとを締結し、各貫通孔３，６に挿入した配管Ｐａ，Ｐｄ相互を強固に固定保持する。
【００４１】
図３（Ｃ）は、互いに近接するとともに、横方向と縦方向とに直交する２本の配管Ｐｃ，Ｐｂを固定保持する場合に用いられる。先に述べたようにして、横方向にある一方の配管Ｐｃを第１の配管保持具１Ａにおける第２のスリット１５を介して第２の貫通孔４に固定保持し、縦方向にある他方の配管Ｐｂを第２の配管保持具１Ｂにおける第３のスリット１６を介して第３の貫通孔５に固定保持する。  
最後に、結束バンドＤを用いて第１の配管保持具１Ａと第２の配管保持具１Ｂとを締結し、各貫通孔４，５に挿入した配管Ｐｃ，Ｐｄ相互を強固に固定保持する。
【００４２】
図３（Ｄ）は、互いに近接するとともに、横方向に並行する２本の配管Ｐｃ，Ｐｄを固定保持する場合に用いられる。先に述べたようにして、横方向にある一方の配管Ｐｃを第１の配管保持具１Ａにおける第２のスリット１５を介して第２の貫通孔４に固定保持し、横方向にある他方の配管Ｐｄを第２の配管保持具１Ｂにおける第４のスリット１７を介して第４の貫通孔６に固定保持する。  
最後に、結束バンドＤを用いて第１の配管保持具１Ａと第２の配管保持具１Ｂとを締結し、各貫通孔４，６に挿入した配管Ｐｃ，Ｐｄ相互を強固に固定保持する。
【００４３】
なお、本実施形態においては、配管ＰａないしＰｄを固定保持する前に、第１の配管保持具１Ａと第２の配管保持具１Ｂの連結部８を互いに連結固定するように説明したが、配管ＰａないしＰｄを貫通孔３ないし６に挿入した後に、第１の配管保持具１Ａと第２の配管保持具１Ｂの連結部８を互いに連結固定してもよい。  
また、第１の配管保持具１Ａの貫通孔３，４と第２の配管保持具１Ｂの貫通孔５，６の径を異ならせることで、配管ＰａないしＰｄが異径の場合でも対応できる。
【００４４】
このような配管固定具Ｓを用いることにより、互いに近接するとともに、縦方向もしくは横方向に並行する配管Ｐａ−Ｐｂ，Ｐｃ−Ｐｄ同士を固定保持する場合と、互いに近接するとともに、縦方向と横方向とに直交する配管Ｐａ−Ｐｄ，Ｐｃ−Ｐｂ同士を固定保持する場合の、いずれにも対応できて、設計自由度および使用範囲の拡大化を図れることとなる。
【００４５】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００４６】
３…第１の貫通孔、４…第２の貫通孔、１Ａ…第１の配管保持具、５…第３の貫通孔、６…第４の貫通孔、１Ｂ…第２の配管保持具、８…連結部、Ｐａ，Ｐｂ，Ｐｃ，Ｐｄ…配管、９，１２…係合凸部、１０，１２…係合凹部、１４，１５，１６，１７…スリット、Ｄ…結束バンド、２０，２１…バンド用凹部。
【図１】
2014224595.tif 000003
【図２】
2014224595.tif 000004
【図３】
2014224595.tif 000005